(57)【要約】【課題】チャットの発言に予め定めておいたキーワードが登場したとき、電子メールセンタと連携して受信済の電子メールを提示する為のチャットサーバの提供。【解決手段】端末装置からの発言を受信し（Ｓ８１）、受信した発言に含まれ、その発言者であるユーザの識別情報を特定し、特定したユーザの識別情報に対応させてユーザ情報記憶部に記憶されているキーワードを取得し（Ｓ８３）、取得したキーワードを前記発言中で検索し（Ｓ８６）、キーワードを発言中に検出した場合に、ユーザ接続状態記憶部を参照してユーザの識別情報を取得し、取得したユーザの識別情報及び発言者であるユーザの識別情報に対応させてユーザ情報管理部に記憶されている各ユーザの電子メールアドレスを取得し（Ｓ８７）、取得した電子メールアドレスが受信している電子メールの内容を、各端末装置へ提示させる指令を電子メールサーバに送信する（Ｓ８８）構成である。【選択図】図８
2006252581.tif 000002
【特許請求の範囲】
【請求項１】
電子メールの中継機能を有する電子メールサーバと複数の端末装置とに、ネットワークを介して通信可能に接続され、端末装置間で送受信されるメッセージの中継を行うチャットサーバであって、
チャットに参加している端末装置の識別情報、及び該端末装置を使用しているユーザの識別情報を対応させて記憶するユーザ接続状態記憶部と、
ユーザの電子メールアドレス、端末装置を介して予め入力されたキーワード、及びユーザの識別情報を対応させて記憶しておくユーザ情報記憶部と、
端末装置から送信された発言を受信する発言受信部と、
該発言受信部が受信した発言に含まれ、該発言の発言者であるユーザの識別情報を特定し、特定したユーザの識別情報に対応させて前記ユーザ情報記憶部に記憶されているキーワードを取得し、取得したキーワードが前記発言中に含まれているか否かを検索するキーワード検出部と、
該キーワード検出部が前記キーワードを前記発言中に検出した場合に、前記ユーザ接続状態記憶部を参照してチャットに参加しているユーザの識別情報を取得し、取得したユーザの識別情報、及び前記発言者であるユーザの識別情報に対応させて前記ユーザ情報管理部に記憶されている各ユーザの電子メールアドレスを取得する電子メールアドレス取得部と、
該電子メールアドレス取得部が取得した電子メールアドレスが受信している電子メールの内容を、各端末装置へ提示させる指令を電子メールサーバに送信する電子メール提示指示部と
を備えることを特徴とするチャットサーバ。
【請求項２】
電子メールの中継機能を有する電子メールサーバと複数の端末装置とに、ネットワークを介して通信可能に接続され、端末装置間で送受信されるメッセージの中継を行うチャットサーバを、コンピュータに実現させるためのプログラムを記録したコンピュータ読み取り可能な記録媒体であって、
チャットに参加している端末装置の識別情報、及び該端末装置を使用しているユーザの識別情報を対応させて記憶するユーザ接続状態記憶機能と、
ユーザの電子メールアドレス、端末装置を介して予め入力されたキーワード、及びユーザの識別情報を対応させて記憶しておくユーザ情報記憶機能と、
端末装置から送信された発言を受信する発言受信機能と、
該発言受信部が受信した発言に含まれ、該発言の発言者であるユーザの識別情報を特定し、特定したユーザの識別情報に対応させて前記ユーザ情報記憶部に記憶されているキーワードを取得し、取得したキーワードが前記発言中に含まれているか否かを検索するキーワード検出機能と、
該キーワード検出部が前記キーワードを前記発言中に検出した場合に、前記ユーザ接続状態記憶部を参照してチャットに参加しているユーザの識別情報を取得し、取得したユーザの識別情報、及び前記発言者であるユーザの識別情報に対応させて前記ユーザ情報管理部に記憶されている各ユーザの電子メールアドレスを取得する電子メールアドレス取得機能と、
該電子メールアドレス取得部が取得した電子メールアドレスが受信している電子メールの内容を、各端末装置へ提示させる指令を電子メールサーバに送信する電子メール提示指示機能と
をコンピュータに実現させるためのプログラムを記録したコンピュータ読み取り可能な記録媒体。
【発明の詳細な説明】
【技術分野】
【０００１】
本発明は、チャットシステムと電子メールセンタとを連携させ、チャット中に受信済の電子メールの提示を行うためのチャットサーバ及び記録媒体に関するものである。
【背景技術】
【０００２】
電子メールはホストコンピュータである電子メールセンタにメールボックスと呼ばれる記憶領域を受信者の人数分設けておき、この電子メールセンタが公衆回線網を介してこれと接続してある端末装置から受信者を指定した文書情報を受信し、これをその指定された受信者に対応するメールボックスへ書き込み、受信者がメールボックスから端末装置へ前記文書情報を読み出すことによって情報の交換を行う電子的な郵便である。
【０００３】
電子メールの受信者はその電子メールを都合の良い時間に受信することができるので、電子メールの受信（着信）によって電話の呼び出しの如く継続中の用事を中断させられることがなく快適である。発信者にとっては前述の如く受信者の都合が保たれるので着信時刻を気使う必要がなく、気楽に利用できる。
【０００４】
一方、情報の交換を行う手段としてチャットシステムがある。これはホストコンピュータであるチャットサーバと複数の端末装置とを公衆回線を介して接続しておき、チャットサーバが前記端末装置から受信したメッセージを即時に他の端末装置へ送信することにより各々の端末装置を操作するオペレータ同士の文字による「会話」を実現するものである。
チャットシステムは発言内容とその発言者名とを対応させて端末装置に表示する。従って一時に複数の発言が発せられたとしても発言者を取り違えられることなく、他のオペレータにその発言内容が確実に伝わるので意見のやり取りが円滑に進む。また、端末装置に表示された発言内容をそのままテキストデータとして残すことができるので、このテキストデータから議事録を容易に作成することができる。
【０００５】
従ってチャットシステムは、その参加者同士が互いに意見を述べ合って方針を取りまとめるといった用途に適しているといえるが、電話と同様に時間を拘束させるのが難点である。また伝えるべき内容がまとまりのある文書になっているときには、前述した電子メールの方が適していることもある。
そこで、通常の情報交換には電子メールを利用し、簡単な通信を行うとき又は方針を取りまとめるときにはチャットシステムを利用するといった使い分けがされてきた。
【特許文献１】特開平７−９９５０８号公報
【特許文献２】特開平５−３４７６６６号公報
【発明の開示】
【発明が解決しようとする課題】
【０００６】
従って、過去に受信した電子メールの内容がチャットの話題に取りあげられる場面がよくある。しかしこのような場面においてその話題を提供した発言者以外のチャットの参加者がその電子メールの内容に心当たりがない場合、円滑な意思の疎通に支障をきたす。
本発明は、斯かる事情に鑑みてなされたものであって、チャットの発言に予め定めておいたキーワードが登場したとき、チャットシステムと電子メールセンタとを連携させて受信済の電子メールを提示するためのチャットサーバ及び記録媒体の提供を目的とする。
【課題を解決するための手段】
【０００７】
本発明に係るチャットサーバは、電子メールの中継機能を有する電子メールサーバと複数の端末装置とに、ネットワークを介して通信可能に接続され、端末装置間で送受信されるメッセージの中継を行うチャットサーバであって、チャットに参加している端末装置の識別情報、及び該端末装置を使用しているユーザの識別情報を対応させて記憶するユーザ接続状態記憶部と、ユーザの電子メールアドレス、端末装置を介して予め入力されたキーワード、及びユーザの識別情報を対応させて記憶しておくユーザ情報記憶部と、端末装置から送信された発言を受信する発言受信部と、該発言受信部が受信した発言に含まれ、該発言の発言者であるユーザの識別情報を特定し、特定したユーザの識別情報に対応させて前記ユーザ情報記憶部に記憶されているキーワードを取得し、取得したキーワードが前記発言中に含まれているか否かを検索するキーワード検出部と、該キーワード検出部が前記キーワードを前記発言中に検出した場合に、前記ユーザ接続状態記憶部を参照してチャットに参加しているユーザの識別情報を取得し、取得したユーザの識別情報、及び前記発言者であるユーザの識別情報に対応させて前記ユーザ情報管理部に記憶されている各ユーザの電子メールアドレスを取得する電子メールアドレス取得部と、該電子メールアドレス取得部が取得した電子メールアドレスが受信している電子メールの内容を、各端末装置へ提示させる指令を電子メールサーバに送信する電子メール提示指示部とを備えることを特徴とする。
【０００８】
本発明に係る記録媒体は、電子メールの中継機能を有する電子メールサーバと複数の端末装置とに、ネットワークを介して通信可能に接続され、端末装置間で送受信されるメッセージの中継を行うチャットサーバを、コンピュータに実現させるためのプログラムを記録したコンピュータ読み取り可能な記録媒体であって、チャットに参加している端末装置の識別情報、及び該端末装置を使用しているユーザの識別情報を対応させて記憶するユーザ接続状態記憶機能と、ユーザの電子メールアドレス、端末装置を介して予め入力されたキーワード、及びユーザの識別情報を対応させて記憶しておくユーザ情報記憶機能と、端末装置から送信された発言を受信する発言受信機能と、該発言受信部が受信した発言に含まれ、該発言の発言者であるユーザの識別情報を特定し、特定したユーザの識別情報に対応させて前記ユーザ情報記憶部に記憶されているキーワードを取得し、取得したキーワードが前記発言中に含まれているか否かを検索するキーワード検出機能と、該キーワード検出部が前記キーワードを前記発言中に検出した場合に、前記ユーザ接続状態記憶部を参照してチャットに参加しているユーザの識別情報を取得し、取得したユーザの識別情報、及び前記発言者であるユーザの識別情報に対応させて前記ユーザ情報管理部に記憶されている各ユーザの電子メールアドレスを取得する電子メールアドレス取得機能と、該電子メールアドレス取得部が取得した電子メールアドレスが受信している電子メールの内容を、各端末装置へ提示させる指令を電子メールサーバに送信する電子メール提示指示機能とをコンピュータに実現させるためのプログラムを記録してあることを特徴とする。
【０００９】
表１はチャットサーバにおけるユーザ毎に定めたキーワードの検出のためのユーザ情報の一例を示す表である。表において、ユーザIDは各ユーザの名前の代わりとなる識別子である。ユーザ情報は前記ユーザIDの他にユーザの姓, 名前, 電子メールアドレス及びニックネーム並びにメッセージ、即ち電子メールの提示のトリガとなるトリガキーワード及び最新の電子メールを指定する選択キーワードの項目を有する。トリガキーワード（キーワード、第１キーワード）及び選択キーワード（第２キーワード、第３キーワード）は、ユーザ毎に適宜設定を行う。
【００１０】
【表１】
2006252581.tif 000003
【００１１】
表２はチャットサーバにおいてチャットに参加しているユーザを表すユーザ接続状況表の一例を示す表である。表において端末IDはチャットサーバの端末インタフェースによって端末装置を識別するためのものであって、ユーザID毎に端末IDを対応させてある。
【００１２】
【表２】
2006252581.tif 000004
【００１３】
以下に本発明に係るチャットサーバ及び本発明に係る記録媒体に記録されたプログラムにより制御されるコンピュータの動作手順を図６に基づき説明する。
図６は端末装置Ａを使用するmul と端末装置Ｂを使用するyouchan とが本発明の情報通信システムによりチャットを行っている状況を表すタイミングチャートである。mul 及びyouchan はいずれも同一ユーザから同一内容の電子メールを受信しており、また発言者mul は聴取者youchan が前記電子メールを受信していることを知っているものとする。
【００１４】
(1) mul が端末装置Ａのチャットツールを使って「さきほどのメールの件だけど、少し質問してもいい？」と発言する。
(2) チャットサーバがmul の発言を受け付けて、この時チャットを行っている全てのユーザの端末装置 (この場合、端末装置Ｂのみ）に受け付けた発言をその発言者のユーザIDを付けて転送する。
(3) 端末装置Ｂが受信した発言を表示する。
(4) チャットサーバは、発言を転送した後その発言内容を解析する。そのためにまずユーザ情報から発言者、即ちmul のトリガキーワードを取得する。
(5) mul のトリガキーワードと発言内容を比較する。トリガキーワードが複数設定されているときは、それを１つずつ取り出して比較する。ここで「メールの件だけど」というトリガキーワードを検出する。
【００１５】
(6) トリガキーワードが含まれているとき、ユーザ情報から今度は選択キーワードを取得する。
(7) mul の選択キーワードと発言内容とを比較する。選択キーワードが複数設定されているときは、それを１つずつ取り出して比較する。ここで「さきほどの」という選択キーワードを検出する。
(8) トリガキーワード及び選択キーワードがいずれも検出されたので、チャットに参加しているユーザ (この場合、mul ，youchan のみ）に電子メールを提示すべくユーザ接続状況表から現在接続しているユーザ (mul ，youchan ）を識別して、その電子メールアドレスを取得する。
【００１６】
(9) チャットサーバが電子メールセンタへmul(ABC00129)が受信した最新の電子メールをmul の端末装置 (端末装置Ａ) 及びyouchan の端末装置 (端末装置Ｂ) へ提示する指令を発行する。
(10)電子メールの提示指令を受け付けた電子メールセンタはmulのメールボックスから最新に受信した電子メールを特定して読み出し、これをmul の端末装置Ａに転送する。またそのIDが同一の電子メールをyouchan のメールボックスから読み出し、これをyouchanの端末装置Ｂに転送する。
(11)端末装置Ａ, Ｂが受信した電子メールを表示する。尚、ステップ(10)においては、最新に受信した電子メールの代わりに、最新に送信した電子メールであっても良い。
【００１７】
前述のユーザ情報の選択キーワードとして最新を意味する語句の代わりに「○月○日」という形式の文字列を設定しておき、ステップ(5) においてトリガキーワードを検出して、しかもステップ(7) においてこの形式の文字列（第４キーワード）を検出したときにその日付に出された電子メールをmul 及びyouchan の両方の端末装置に提示しても良い。
前述のユーザ情報の選択キーワードとして最新を意味する語句の代わりに「○日前」という形式の文字列を設定しておき、ステップ(5) においてトリガキーワードを検出して、しかもステップ(7) においてこの形式の文字列を検出したときにチャットサーバが内蔵するカレンダから電子メールを受信した日付を求め、その日付に出された電子メールをmul 及びyouchan の両方の端末装置に提示しても良い。
【００１８】
また、選択キーワードとして発言者のメールボックス中の全ての電子メールのIDを設定しておき、ステップ(5) においてトリガキーワードを検出して、しかもステップ(7) において前記IDを検出したときにそのIDを有する電子メールを提示しても良い。
またステップ(5) においてトリガキーワードを検出したとき、チャットサーバは電子メールセンタへ発言者（mul ）が電子メールをその端末装置（端末装置Ａ）に表示させているか否かを問い合わせる。表示させていると判別したとき、電子メールが表示されている旨と、その電子メールのID, 送信者及び受信者とをチャットサーバへ開示する。
【００１９】
そしてチャットサーバはその電子メールの送信者又は受信者に発言を聴取したユーザ（youchan ）が含まれると判別したとき、その電子メールをそのユーザ（youchan ）の端末装置（端末装置Ｂ）に提示しても良い。
またステップ(9) においてmul及びyouchan の受信した電子メールのうち最新の電子メールをmul及びyouchan の両方の端末装置に提示しても良い。
また、提示すべき電子メールが複数存在するときはそれらの電子メールの一覧を表示するようにしても良い。
【００２０】
また、選択キーワードとしてチャットの参加者のニックネーム又は名前を設定しておき、ステップ(5) においてトリガキーワードを検出して、しかもステップ(7) において前記ニックネーム又は名前を検出したときにそのユーザの電子メールアドレスを取得する。
そしてこの電子メールアドレスから発言者へ送信された電子メールをその送信したユーザ及び発言者の端末装置へ提示しても良い。
【発明の効果】
【００２１】
本発明に係るチャットサーバ、及び本発明に係る記録媒体に記録されたプログラムにより制御されるコンピュータによれば、意思疎通の手段として互いに補う形で個別に利用されてきた電子メール及びチャットシステムを連携させて、より円滑な意思の疎通を図ることが可能である。また、チャット中に予め定めておいたキーワード及びユーザを指定する情報を発言することによって、電子メールセンタを連携させて話題の電子メールを読み出し、ユーザへ電子メールを提示することができる。
【発明を実施するための最良の形態】
【００２２】
図１は、本発明に係るチャットサーバの実施の形態を含む情報通信システムのブロック図である。
図において１及び２はそれぞれコンピュータを用いてなる電子メールセンタ及びチャットサーバである。電子メールセンタ１及びチャットサーバ２はいずれもネットワーク３と接続している。またネットワーク３には端末装置４, ５, ６が接続してある。即ち、端末装置４, ５, ６はそれぞれネットワーク３を介して電子メールセンタ１及びチャットサーバ２と接続している。
【００２３】
図２は、図１に示す情報通信システムの論理的構成を示す要部ブロック図である。図において端末装置４は電子メールツール41及びチャットツール42を備えている。他の構成要素は前述した図１と同様であるので、同符号を付して説明を省略する。電子メールツール41は、端末装置４と電子メールセンタ１とを論理的に接続するものである。チャットツール42は端末装置４とチャットサーバ２とを論理的に接続するものである。また電子メールセンタ１及びチャットサーバ２は互いに情報の送受を可能にしてある。
【００２４】
図３は、電子メールセンタ１のブロック図である。図において11はCPU であって、記憶装置12及び端末インタフェース13と接続している。記憶装置12は電子メールの受信者となるユーザ毎に対応させてメールボックス121,122,123 が設けてある。またユーザが電子メールセンタ１に対して行った指示及びその実行結果等を表すユーザ状態変数表124 を有する。端末インタフェース13は端末装置４, ５, ６及びチャットサーバ２と電子メールセンタ１のCPU 11との情報の送受を行う。
【００２５】
図４は、チャットサーバ２のブロック図である。図において21はCPU であって、記憶装置22及び端末インタフェース23と接続している。記憶装置22はユーザの識別及び前記ユーザ毎に定めたキーワードの検出のための前述した表１の如きユーザ情報221,222,223 を備える。また現在チャットに参加しているユーザを表すユーザ接続状況表224 を有する。端末インタフェース23は端末装置４, ５, ６及び電子メールセンタ１とチャットサーバ２のCPU 21との情報の送受を行う。
【００２６】
図５は、電子メールの一例を示す説明図である。図に示すように電子メールの文中には送信者を示す「From：」フィールド、受信者を示す「To：」フィールド (受信者を複数指定する場合にはそれぞれの電子メールアドレスをカンマで区切って列記する) 、電子メールのIDを示す「Message −ID：」フィールド及び着信日付を示す「Date：」フィールドが存在しており、電子メールセンタ１はこれらのフィールドに記載されたそれぞれの情報を参照することができる。
【００２７】
図７は、チャットサーバ２の状態遷移図である。通常、ユーザからの入力待ちを行う状態Ｉである。ユーザから接続要求を受け付けて接続処理を行う状態IIへ遷移する。状態IIにおいて、接続を要求しているユーザが会員登録ユーザである場合のみ接続を行い、そのユーザID及び端末IDをユーザ接続状況表224 に登録する。登録完了又は接続を要求しているユーザが登録ユーザではない場合は状態Ｉへ遷移する。状態Ｉにおいてユーザから切断要求を受け付けて切断処理を行う状態III へ遷移する。状態III においてユーザ接続状況表224 から切断を要求しているユーザのユーザID及び端末IDを削除する。削除完了により状態Ｉへ遷移する。状態Ｉにおいてユーザから発言を受け付けて発言・電子メール提示処理を行う状態IVへ遷移する。状態IVにおいて受け付けた発言をチャットの参加者全員に転送する。またトリガキーワードを検索してこれを検出した場合、さらに選択キーワードを検索してこれを検出したとき電子メールセンタ１へ電子メールの提示要求を発行する。
【００２８】
選択キーワードを検出したときは提示要求の発行完了により状態Ｉへ遷移する。それ以外のときは転送完了により状態Ｉへ遷移する。状態Ｉにおいて設定変更を受け付けて設定処理を行う状態Ｖへ遷移する。状態Ｖにおいて受け付けた設定の変更をユーザ情報221,222,223 へ反映させる。即ちここでトリガキーワード及び選択キーワードの設定を行う。設定完了により状態Ｉへ遷移する。
【００２９】
図８は、チャットサーバ２の状態IVにおける処理手順を示すフローチャートである。ユーザからの発言を受け付けて(S81) 、その発言内容をチャットの参加者全員に転送する(S82) 。発言者のユーザ情報からトリガキーワードを取得して(S83) 、発言内容からこのトリガキーワードを検索する(S84) 。トリガキーワードを検出したとき発言者のユーザ情報から今度は選択キーワードを取得して(S85) 、発言内容からこの選択キーワードを検索する(S86) 。選択キーワードを検出したときチャットの参加者の電子メールアドレスを取得する(S87) 。前記電子メールアドレス及び電子メールの選択方法を指定して電子メールセンタ１へ電子メールの提示を指令する(S88) 。選択方法は受信日付が最新の電子メールといった間接的な指定だけでなく電子メールのIDにより直接指定することも可能である。
【００３０】
図９は、電子メールセンタ１の状態遷移図である。通常、ユーザ又はチャットサーバ２からの入力待ちを行う状態Ｉである。ユーザから電子メールを受け付けて電子メール受信処理を行う状態IIへ遷移する。状態IIにおいて、受け付けた電子メールを指定の受信者のメールボックスに格納する。受信完了により状態Ｉへ遷移する。状態ＩにおいてユーザからOPEN要求を受け付けて電子メールOPEN処理を行う状態III へ遷移する。状態III において前記ユーザのメールボックスからそのユーザが指定する電子メールを、そのユーザの端末装置へ提示する。またユーザ状態変数表124 に前記電子メールをOPEN状態にしていることを記しておく。OPEN完了により状態Ｉへ遷移する。状態ＩにおいてユーザからCLOSE 要求を受け付けて電子メールCLOSE 処理を行う状態IVへ遷移する。状態IVにおいてユーザ状態変数表124 から前記ユーザが電子メールをCLOSE 状態にしていることを記しておく。CLOSE 完了により状態Ｉへ遷移する。状態Ｉにおいてチャットサーバ２から提示指令を受け付けて電子メール連携提示処理を行う状態Ｖへ遷移する。状態Ｖにおいてチャットサーバ２から受け付けた電子メールアドレス又は電子メールの選択方法に基づき、提示すべき電子メールを選択し、その電子メールをその送信者及び受信者又はその共通の受信者に提示する。提示完了により状態Ｉへ遷移する。
【００３１】
図10は、電子メールセンタ１の状態Ｖにおける処理手順を示すフローチャートである。チャットサーバ２からの提示指令を受け付けて(S101)、受け付けた指令による電子メールアドレス又は電子メールの選択方法に基づき提示すべき電子メールを選択し(S102)、その電子メールをその送信者又は受信者又はその共通の受信者にそれぞれのメールボックスから読み出してそれぞれのユーザの端末装置に提示する(S103)。
【００３２】
図１１は、電子メールセンタを制御するプログラムが記録された記録媒体を説明するための説明図である。この記録媒体は、フレキシブルディスクＦＤａであり、これに記録されたコンピュータプログラムＰＲａは、チャットサーバから、電子メールを特定する情報及びその電子メールを表示すべき端末装置を特定する情報を受け付けるステップと、電子メールを特定する情報に基づき電子メールを特定するステップと、端末装置を特定する情報に基づき特定した端末装置に対応させたメールボックスからその電子メールを読み出してその端末装置に表示させるステップとを備えている。
【００３３】
フレキシブルディスクＦＤａは、ディスクドライブＤＤに装填され、これに記録されたコンピュータプログラムＰＲａにより制御されるコンピュータＣＰは、前述した電子メールセンタ１として作動する。電子メールセンタ１の構成及び動作は、前述したので説明を省略する。
【００３４】
図１２は、電子メールセンタを制御するプログラムが記録された他の記録媒体を説明するための説明図である。この記録媒体は、フレキシブルディスクＦＤｂであり、これに記録されたコンピュータプログラムＰＲｂは、チャットサーバから、電子メールを特定する情報及びその電子メールを表示すべき端末装置を特定する情報を受け付けさせるプログラムのコード手段と、その電子メールを特定する情報に基づき電子メールを特定させるプログラムのコード手段と、端末装置を特定する情報に基づき特定した端末装置に対応させたメールボックスからその電子メールを読み出してその端末装置に表示させるプログラムのコード手段とを備えている。
【００３５】
フレキシブルディスクＦＤｂは、ディスクドライブＤＤに装填され、これに記録されたコンピュータプログラムＰＲｂにより制御されるホストコンピュータＨＣＰは、前述した電子メールセンタ１として作動する。電子メールセンタ１の構成及び動作は、前述したので説明を省略する。
【００３６】
図１３は、本発明に係る記録媒体の実施の形態を説明するための説明図である。この記録媒体は、フレキシブルディスクＦＤｃであり、これに記録されたコンピュータプログラムＰＲｃは、キーワードを定めておき、第１端末装置から受信したメッセージからそのキーワードを検索するステップと、そのキーワードを検出したとき、電子メールセンタへ、第１端末装置及びユーザ情報から特定した第２端末装置に各対応させたメールボックスに共通して格納してある同一内容の電子メールを問い合わせるステップと、第２端末装置に対応させたメールボックスから、その電子メールを読み出して第２端末装置に表示させるように指令するステップとを備えている。
【００３７】
フレキシブルディスクＦＤｃは、ディスクドライブＤＤに装填され、これに記録されたコンピュータプログラムＰＲｃにより制御されるコンピュータＣＰは、前述したチャットサーバ２として作動する。チャットサーバ２の構成及び動作は、前述したので説明を省略する。
【００３８】
図１４は、本発明に係る記録媒体の他の実施の形態を説明するための説明図である。この記録媒体は、フレキシブルディスクＦＤｄであり、これに記録されたコンピュータプログラムＰＲｄは、キーワードを定めさせるプログラムのコード手段と、第１端末装置から受信したメッセージからそのキーワードを検索させるプログラムのコード手段と、そのキーワードを検出したとき、電子メールセンタへ、第１端末装置及びユーザ情報から特定した第２端末装置に各対応させたメールボックスに共通して格納してある同一内容の電子メールを問い合わせさせるプログラムのコード手段と、第２端末装置に対応させたメールボックスから、その電子メールを読み出して第２端末装置に表示させるように指令させるプログラムのコード手段とを備えている。
【００３９】
フレキシブルディスクＦＤｄは、ディスクドライブＤＤに装填され、これに記録されたコンピュータプログラムＰＲｄにより制御されるホストコンピュータＨＣＰは、前述したチャットサーバ２として作動する。チャットサーバ２の構成及び動作は、前述したので説明を省略する。
【００４０】
図１５は、電子メールセンタを制御するプログラムが記録された他の記録媒体を説明するための説明図である。この記録媒体は、フレキシブルディスクＦＤｅであり、これに記録されたコンピュータプログラムＰＲｅは、各ユーザが送信及び受信した電子メールをユーザ毎のメールボックスに格納するステップと、各ユーザの内の複数ユーザが参加している文字による会話を制御するチャットサーバが指示した、その複数ユーザの各メールボックス内の電子メールを、その複数ユーザが操作するそれぞれの端末装置に表示させるステップとを含んでいる。
【００４１】
フレキシブルディスクＦＤｅは、ディスクドライブＤＤに装填され、これに記録されたコンピュータプログラムＰＲｅにより制御されるコンピュータＣＰは、前述した電子メールセンタ１として作動する。電子メールセンタ１の構成及び動作は、前述したので説明を省略する。
【００４２】
図１６，１７は、本発明に係る記録媒体の他の実施の形態を説明するための説明図である。この記録媒体は、フレキシブルディスクＦＤｆであり、これに記録されたコンピュータプログラムＰＲｆは、送信及び受信した電子メールを電子メールセンタ内のユーザ毎のメールボックスにそれぞれ格納する複数ユーザが参加しているチャットシステムによる文字による会話上で、予め定めてあるキーワードが発言されたとき、電子メールセンタへ、そのキーワードを発言した端末装置を操作するユーザのメールボックス内の電子メールをその端末装置に表示させるように指示するステップと、電子メールセンタ内のメールボックスにその電子メールと同じ電子メールが格納され文字による会話に参加しているユーザが操作する端末装置に、その電子メールを表示させるように指示するステップと、キーワードが、各ユーザによりそれぞれ設定されるステップとを含んでいる。
【００４３】
コンピュータプログラムＰＲｆは、また、会話に参加している複数ユーザが２人である場合、電子メールセンタへ、予め定めてあるキーワードを発言した端末装置を操作するユーザが他方のユーザへ送信した、メールボックス内の電子メールをその端末装置に表示するように指示するステップと、他方のユーザが操作する端末装置に、他方のユーザのメールボックスに格納された、その電子メールと同じ電子メールを表示するように指示するステップとを含んでいる。
【００４４】
コンピュータプログラムＰＲｆは、また、会話に参加している複数ユーザが２人である場合、電子メールセンタへ、予め定めてあるキーワードを発言した端末装置を操作するユーザが他方のユーザから受信した、メールボックス内の電子メールをその端末装置に表示するように指示するステップと、他方のユーザが操作する端末装置に、他方のユーザのメールボックスに格納された、その電子メールと同じ電子メールを表示するように指示するステップとを含んでいる。
【００４５】
コンピュータプログラムＰＲｆは、また、電子メールセンタへのそれぞれの指示において、端末装置に表示させるべき電子メールがメールボックス内に複数格納されている場合、その端末装置にその電子メールを一覧表示するように指示するステップを含んでいる。
【００４６】
コンピュータプログラムＰＲｆは、また、会話上で、予め定めてあるキーワードと第３キーワードとを含む発言がなされたとき、電子メールセンタへ、その発言をなした端末装置を操作するユーザのメールボックス内の最新の電子メールをその端末装置に表示するように指示するステップと、他方のユーザが操作する端末装置に、他方のユーザのメールボックスに格納された、その電子メールと同じ電子メールを表示するように指示するステップと、第３キーワードが、各ユーザによりそれぞれ設定されるステップとを含んでいる。
【００４７】
コンピュータプログラムＰＲｆは、また、会話上で、予め定めてあるキーワードと時を指定する第４キーワードとを含む発言がなされたとき、電子メールセンタへ、その発言をなした端末装置を操作するユーザのメールボックス内の、その時に送信又は受信した電子メールをその端末装置に表示するように指示するステップと、他方のユーザが操作する端末装置に、他方のユーザのメールボックスに格納された、その電子メールと同じ電子メールを表示するように指示するステップと、第４キーワードの時を指定する形式が、各ユーザによりそれぞれ設定されるステップとを含んでいる。
【００４８】
コンピュータプログラムＰＲｆは、また、会話上で、予め定めてあるキーワードと「○日前」の語句とを含む発言がなされたとき、電子メールセンタへ、その発言をなした端末装置を操作するユーザのメールボックス内の○日前の電子メールをその端末装置に表示するように指示するステップと、他方のユーザが操作する端末装置に、他方のユーザのメールボックスに格納された、その電子メールと同じ電子メールを表示するように指示するステップとを含んでいる。
【００４９】
コンピュータプログラムＰＲｆは、また、各ユーザが送信する電子メールに識別情報を付加し、会話上で、予め定めてあるキーワードとその識別情報とを含む発言がなされたとき、電子メールセンタへ、その発言をなした端末装置を操作するユーザのメールボックス内の、その識別情報が付加された電子メールをその端末装置に表示するように指示するステップと、他方のユーザが操作する端末装置に、他方のユーザのメールボックスに格納された、その電子メールと同じ電子メールを表示するように指示するステップとを含んでいる。
【００５０】
コンピュータプログラムＰＲｆは、また、会話上で、予め定めてあるキーワードが発言されたときに、そのキーワードを発言した端末装置に電子メールが表示されている場合、電子メールセンタへ、他方のユーザが操作する端末装置に、他方のユーザのメールボックスに格納された、その電子メールと同じ電子メールを表示するように指示するステップを含んでいる。
【００５１】
フレキシブルディスクＦＤｆは、ディスクドライブＤＤに装填され、これに記録されたコンピュータプログラムＰＲｆにより制御されるコンピュータＣＰは、前述したチャットサーバ２として作動する。チャットサーバ２の構成及び動作は、前述したので説明を省略する。
尚、前述した記録媒体の実施の形態では、記録媒体をフレキシブルディスクＦＤａ〜ＦＤｆとして説明したが、フレキシブルディスクに限らず、例えば、光ディスク、磁気テープ、ＣＤ−ＲＯＭ等であっても良い。
【図面の簡単な説明】
【００５２】
【図１】本発明に係るチャットサーバの実施の形態を含む情報通信システムのブロック図である。
【図２】図１に示す情報通信システムの論理的構成を示す要部ブロック図である。
【図３】電子メールセンタのブロック図である。
【図４】チャットサーバのブロック図である。
【図５】電子メールの一例を示す説明図である。
【図６】図１に示す情報通信システムのタイミングチャートである。
【図７】チャットサーバの状態遷移図である。
【図８】チャットサーバの処理手順を示すフローチャートである。
【図９】電子メールセンタの状態遷移図である。
【図１０】電子メールセンタの処理手順を示すフローチャートである。
【図１１】電子メールセンタを制御するプログラムが記録された記録媒体を説明するための説明図である。
【図１２】電子メールセンタを制御するプログラムが記録された他の記録媒体を説明するための説明図である。
【図１３】本発明に係る記録媒体の実施の形態を説明するための説明図である。
【図１４】本発明に係る記録媒体の他の実施の形態を説明するための説明図である。
【図１５】電子メールセンタを制御するプログラムが記録された他の記録媒体を説明するための説明図である。
【図１６】本発明に係る記録媒体の他の実施の形態を説明するための説明図である。
【図１７】本発明に係る記録媒体の他の実施の形態を説明するための説明図である。
【符号の説明】
【００５３】
１  電子メールセンタ
２  チャットサーバ
３  ネットワーク
４，５，６  端末装置
ＣＰ  コンピュータ
ＤＤ  ディスクドライブ
ＦＤａ〜ＦＤｆ  フレキシブルディスク
ＨＣＰ  ホストコンピュータ
ＰＲａ〜ＰＲｆ  プログラム
【図１】
2006252581.tif 000005
【図２】
2006252581.tif 000006
【図３】
2006252581.tif 000007
【図４】
2006252581.tif 000008
【図５】
2006252581.tif 000009
【図６】
2006252581.tif 000010
【図７】
2006252581.tif 000011
【図８】
2006252581.tif 000012
【図９】
2006252581.tif 000013
【図１０】
2006252581.tif 000014
【図１１】
2006252581.tif 000015
【図１２】
2006252581.tif 000016
【図１３】
2006252581.tif 000017
【図１４】
2006252581.tif 000018
【図１５】
2006252581.tif 000019
【図１６】
2006252581.tif 000020
【図１７】
2006252581.tif 000021